(57)【要約】【課題】従来の診療要素別原価計算方式では、臨床現場で治療費用や治療期間をリアルタイムに決定し、治療計画を作成することは出来なかった。患者が、医師の下した診断結果に対して、医師と相談して、リアルタイムに治療方針や、治療に要する期間及び費用等を決定するナビゲーション装置を得る。【解決手段】当装置に、各治療方針を決定する為の病名と診療情報と部材と薬品と診療報酬と医薬用語及びＥＢＭ情報が、記録されているＤＢを整備し、患者が、医師と相談の上、治療を選択するに当たり、医師が診断した、疾病の治療方針を選択する手段と、選択した治療の費用を出力する手段と、選択した治療に必要な期間を、出力する手段と、新たに治療方針の追加を登録する手段とを有する疾病治療原価計算及び疾病治療方針をリアルタイムに決定するナビゲーション装置とする。【選択図】図２
2004310410.tif 000002
【特許請求の範囲】
【請求項１】
各治療方針を決定する為の病名と診療情報と部材と薬品と診療報酬と医薬用語及びＥｖｉｄｅｎｃｅｄ  Ｂａｓｅｄ  Ｍｅｄｉｃｉｎｅ（以下ＥＢＭ）情報が、記録されているデータベース（以下ＤＢ）を整備し、患者が、医師と相談の上、治療を選択するに当たり、医師が診断した、疾病の治療方針を選択する手段と、選択した治療に要する費用を出力する手段と、選択した治療に必要な期間を出力する手段と、新たに治療方針の追加を登録する手段とを有する疾病治療原価計算及び疾病治療方針をリアルタイムに決定するナビゲーション装置。
【発明の詳細な説明】
【０００１】
【発明の属する技術分野】
本発明は、医療機関において、医師が患者を治療するときの疾病治療原価計算及び疾病治療方針をリアルタイムに決定するナビゲーション装置に関するものである。
【０００２】
【従来の技術】
従来の技術の診療要素別原価計算方式では、治療に要する費用や期間をリアルタイムに決定して、治療方針を決定し、治療計画を作成することは出来なかった。（特開２０００−１２３０７７（特許３１３０２８５）診療要素別原価計算方式）
【０００３】
【発明が解決しようとする課題】
従来の治療方針の決定プロセスは医師が検査結果に基づき診断し、自ら治療方針を決定し、患者にその治療計画に従わせるスタイルが主流であった。しかしながら、平成１２年１２月６日付で法律第１４１号として交付された第４次改正医療法には、「医療の質の確保・向上」が謳われており、ＥＢＭや退院時期を明確化させた診療計画（Ｃｌｉｎｉｃａｌ  Ｐａｔｈｗａｙ）等について検討を進めるとともに、医療現場への定着・普及を図ることが明記されている。このような背景により、新しい概念に基づく、医師と患者との間の治療方針決定システムが求められていたが、医師が下した診断結果に対するいろいろな治療方針をＤＢ化し、医師は患者にそれらの情報をパソコンを通じて示し、それぞれの治療に要する費用及び期間等必要事項をすべて説明するようなことは出来なかった。従って、治療方針とコストをリアルタイムにＣＲＴに表示し、医師と患者の信頼関係を高めることも、インフォームドコンセントを取得することもできず、病院の基本的な原価管理も、病院経営の合理化も実現することが出来ないという問題点があった。
そこで、上記課題を解決するために本発明の目的は、医療機関において、医師が下した診断結果に対するいろいろな治療方針をＤＢから検索し、医師は患者にそれらの情報をパソコンのＣＲＴを通じて示し、それぞれの治療に要する費用及び期間等必要事項のすべて説明を行い、患者は納得した上で医師が勧める治療を受けることが出来るプロセスを実現する疾病治療原価計算及び疾病治療方針をリアルタイムに決定するナビゲーション装置を提供することにある。
【０００４】
【課題を解決するための手段】
上記課題を解決するために、本発明の請求項１に係る疾病治療原価計算及び疾病治療方針をリアルタイムに決定するナビゲーション装置は、各治療方針を決定する為の病名と診療情報と部材と薬品と診療報酬と医薬用語及びＥＢＭ情報が、記録されているＤＢを整備し、患者が、医師と相談の上、治療を選択するに当たり、医師が診断した、疾病の治療方針を選択する手段と、選択した治療に要する費用を出力する手段と、選択した治療に必要な期間を、出力する手段と、新たに治療方針の追加を登録する手段とを有するものである。
【０００５】
【発明の実施の形態】以下、本発明の実施の形態１を図面を用いて具体的に説明する。
【０００６】
【実施の形態１】
図１から図８は、本発明による原価計算を実現する装置の実施の形態１を示す。図１は、本発明に係る装置における実施の形態１の全体構成図を示す。この装置は、疾病の治療方針の選択手段１と治療費用の出力手段２と治療期間の出力手段３と治療方針の追加登録手段４とから構成される。
【０００７】疾病の治療方針の選択手段１は、医師が、患者の診断結果に基づいて、患者と相談の上、疾病の治療方針を選択する機能を有する。
【０００８】治療費用の出力手段２は、医師が、患者と相談の上、決定した治療方針の治療費用を、出力する機能を有する。
【０００９】治療期間の出力手段３は、医師が、患者と相談の上、決定した治療方針の治療期間を、出力する機能を有する。
【００１０】治療方針の追加登録手段４は、医師が、患者と相談した結果、既存の治療方針が無い場合、治療方針の追加登録をする機能を有する。
【００１１】図２は、本発明による原価計算を実現する装置の構成を示すブロック図である。同図において、この装置には、中央処理装置（以下ＣＰＵと称する）１０、に出力装置１１、記憶装置１２、入力装置１３及び各治療方針を決定する為の病名と診療情報と部材と薬品と診療報酬と医薬用語及びＥＢＭ情報が、記録されているデータベース  １４が備わっている。
【００１２】図３は、本発明に係る本装置において、ネットワーク２００４を用いた実施の形態１を示す。
【００１３】管理サーバ２００１は、ネットワーク２００４を介して、病院端末２００２に電気的に接続される。一方で、管理サーバ２００１は、治療方針選定データベース２００３とも電気的に接続される。
【００１４】管理サーバ２００１は、ウエブ表示機能を有し、ウエブ上で医師と患者が、治療方針選定データベース２００３に基づいて、疾病の治療方針を選定することが、可能な状態になっている。
【００１５】病院端末２００２は、医師専用の端末であって、管理サーバ２００１にウエブページと接続し、情報を入手することが、可能である。また、データの送受信も可能である。
【００１６】治療方針選定データベース２００３は、各治療方針を決定する為の病名と診療情報と部材と薬品と診療報酬と医薬用語及びＥＢＭ情報とを有する。
【００１７】実施の形態１を使用することにより、本装置でネットワークシステムが構築される。
結果として、患者が、医師と相談の上、治療を選択し、リアルタイムに疾病の治療方針を決定し、治療に要する費用と、選択した治療に必要な期間をリアルタイムに決定することが、可能となる。
【００１８】図４は、本発明に係る本装置における疾病の治療方針の選択手段１の機能を示す。
【００１９】疾病の治療方針の選択手段１は、疾病の治療方針の抽出機能１０１と疾病の治療方針の選定機能１０２を有する。
【００２０】図５は、本発明に係る本装置における治療費用の出力手段２の機能を示す。
【００２１】治療費用の出力手段２は、疾病の治療期間の複数算出機能２０１と疾病の治療期間の選定機能機能２０２を有する。
【００２２】図６は、本発明に係る本装置における治療期間の出力手段３の機能を示す。
【００２３】疾病の治療期間の出力手段３は、疾病の治療期間の複数算出機能３０１と疾病の治療期間の選定機能３０２を有する。
【００２４】図７は、本発明に係る本装置の治療方針追加登録手段４の機能を示す。
【００２５】治療方針の追加登録手段４は、治療方針の新規登録機能４０１と治療方針の追加登録機能４０２を有する。
【００２６】図８は、医師が、さまざまな検査結果から、導き引き出した
診断結果から、適切な治療方針についての説明を患者に行い、その治療期間、費用について、患者が、納得しうる方針を選択するための処理手順を示すフローチャートである。
【００２７】既に、図２のデータベース１４には、データが記憶されている。
【００２８】まず、医師が、患者検査結果照会１０１０を行い、診断結果登録及び照会１０２０を行う。
【００２９】次に、医師が、診断結果に基づく治療方針の抽出１０３０を行う。
【００３０】そこで、治療方針が無い場合、治療方針の追加登録１０５０の処理と、ＥＢＭデータベース１０６０の検索を行い、医師の各治療に対する説明１０７０に進む。
【００３１】治療方針がある場合、医師の各治療に対する説明１０７０を患者に行い、治療期間の算出１０８０及び、治療費用の算出１０９０を行う。
【００３２】患者が、納得した治療方針であれば、治療方針の決定１１００を行い、処理を終了する。
【００３３】患者が、納得せず、治療方針の決定１１００が、出来なかった場合、治療方針の追加登録１０５０の処理まで戻る。
【００３４】図８のフローチャートの手順に従って、医師が、疾病治療原価計算及び疾病治療方針をリアルタイムに決定するナビゲーション装置を、有効に活用することにより、患者と会話をしながら、さまざまな検査結果から、導き引き出した診断結果を用いて、適切な治療方針について患者に説明をしながら、リアルタイムに患者が、納得するまで、治療方針の追加登録をして、新しい治療方針を導き出し、最終的に、患者が、納得した治療方針に基づいて治療期間と治療費用を決定することが出来る。
【００３５】
【発明の効果】
以上のように、本発明の請求項１に係る疾病治療原価計算及び疾病治療方針をリアルタイムに決定するナビゲーション装置によれば、各治療方針を決定する為の病名と診療情報と部材と薬品と診療報酬と医薬用語及びＥＢＭ情報が、記録されているＤＢを整備し、患者が、医師と相談の上、治療を選択するに当たり、医師が診断した、疾病の治療方針を選択する手段と、選択した治療に要する費用を出力する手段と選択した治療に必要な期間を出力する手段と新たに治療方針の追加を登録する手段とを有したものである。
従って、医療機関において、医師が下した診断結果に対するいろいろな治療方針をＤＢ化し、医師は患者にそれらの情報をパソコンを通じ示し、それぞれの治療に要する費用及び期間等必要事項をすべて説明することが出来る。従って、患者は納得した上で医師が勧める治療を受けることが出来るプロセスを実現するために、ＤＢを使用して治療方針を高速検索し、各治療方針に対してＣＰＵにてコストをリアルタイムに算出し、それらの結果をリアルタイムにＣＲＴに表示することにより、医師と患者の信頼関係を高め、インフォームドコンセントを取得しやすくするのみならず、病院の基本的な原価管理することにより、病院経営を合理化することを実現することが出来る効果がある。
【００３６】
また、原価管理することにより、医療機関の経営の合理化を図れる効果がある。
【００３７】
【図面の簡単な説明】
【図１】本発明に係る疾病治療原価計算及び疾病治療方針をリアルタイムに決定するナビゲーション装置の全体構成図を示す。
【図２】本発明に係る疾病治療原価計算及び疾病治療方針をリアルタイムに決定するナビゲーション装置の構成を示すブロック図を示す。
【図３】本発明に係る疾病治療原価計算及び疾病治療方針をリアルタイムに決定するナビゲーション装置をネットワークに接続して使用する実施の形態１を示す図である。
【図４】本発明に係る疾病治療原価計算及び疾病治療方針をリアルタイムに決定するナビゲーション装置における疾病の治療方針の選択手段の機能を示す図である。
【図５】本発明に係る疾病治療原価計算及び疾病治療方針をリアルタイムに決定するナビゲーション装置における治療費用の出力手段の機能を示す図である。
【図６】本発明に係る疾病治療原価計算及び疾病治療方針をリアルタイムに決定するナビゲーション装置における治療期間の出力手段の機能を示す図である。
【図７】本発明に疾病治療原価計算及び疾病治療方針をリアルタイムに決定するナビゲーション装置における治療方針の追加登録手段の機能を示す図である。
【図８】本発明に係る疾病治療原価計算及び疾病治療方針をリアルタイムに決定するナビゲーション装置の処理の流れを示すフローチャート図である。
【符号の説明】
１疾病の治療方針の選択手段
２治療費用の出力手段
３治療期間の出力手段
４治療方針の追加登録手段
１０ＣＰＵ
１１出力装置
１２記憶装置
１３入力装置
１４データベース
１０１疾病の治療方針の抽出
１０２疾病の治療方針の選定機能
２０１疾病の治療費用の複数算出機能
２０２疾病の治療費用の選定機能
３０１疾病の治療期間の複数算出機能
３０２疾病の治療期間の選定機能
４０１治療方針の新規登録機能
４０２治療方針の追加登録機能
１０１０患者検査結果照会
１０２０診断結果登録及び照会
１０３０診断結果に基づく治療方針の抽出
１０４０治療方針あり？
１０５０治療方針の追加登録
１０６０ＥＢＭ  データベースの検索
１０７０医師の各治療に対する説明
１０８０治療期間の算出
１０９０治療費用の算出
１１００治療方針の決定？
２００１管理サーバ
２００２病院端末
２００３治療方針選定データベース
２００４ネットワーク
【図１】
2004310410.tif 000003
【図２】
2004310410.tif 000004
【図３】
2004310410.tif 000005
【図４】
2004310410.tif 000006
【図５】
2004310410.tif 000007
【図６】
2004310410.tif 000008
【図７】
2004310410.tif 000009
【図８】
2004310410.tif 000010